(57)【要約】      （修正有）【課題】除湿運転を行う空気調和装置において、室内にある物品に結露やカビが発生するおそれを少なくする。【解決手段】空気調和装置は、圧縮機及び室内熱交換器を含む冷媒回路と、室内ファンと、除湿運転を行う制御部と、室内における人の存在の有無を検知する人検知センサと、を有する。制御部は、除湿運転時に、人検知センサが人の不存在を検知した場合に、室内熱交換器における冷媒の蒸発温度を人検知センサが人の存在を検知した場合よりも下げるように、圧縮機の容量及び室内ファンの風量を制御する。【選択図】図８
2019138504.tif 000002
【特許請求の範囲】
【請求項１】
圧縮機（２１）と、室外熱交換器（２４）と、膨張機構（２５）と、室内熱交換器（３１）と、が接続されて構成される冷媒回路（１０）と、
前記室内熱交換器に室内空気を送る室内ファン（３２）と、
前記冷媒回路に封入された冷媒を前記圧縮機、前記室外熱交換器、前記膨張機構、前記室内熱交換器の順に循環させる除湿運転を行う制御部（６）と、
を備えており、
室内における人の存在の有無を検知する人検知センサ（３６）をさらに備えており、
前記制御部は、前記除湿運転時に、前記人検知センサが人の不存在を検知した場合に、前記室内熱交換器における前記冷媒の蒸発温度を前記人検知センサが人の存在を検知した場合よりも下げるように、前記圧縮機の容量及び前記室内ファンの風量を制御する、
空気調和装置（１）。
【請求項２】
前記制御部は、前記人検知センサが人の不存在を検知した場合に、前記人検知センサが人の存在を検知した場合よりも前記圧縮機の容量を大きくする制御を行う、
請求項１に記載の空気調和装置。
【請求項３】
前記制御部は、前記人検知センサが人の不存在を検知した場合に、前記人検知センサが人の存在を検知した場合よりも前記室内ファンの風量を大きくする制御を行う、
請求項２に記載の空気調和装置。
【請求項４】
前記制御部は、前記人検知センサが人の不存在を検知した場合に、前記室内ファンの風量を最大風量に制御する、
請求項２に記載の空気調和装置。
【請求項５】
前記制御部は、前記除湿運転時に、前記人検知センサが人の不存在を検知した場合に、前記室内熱交換器における前記冷媒の蒸発温度を前記人検知センサが人の存在を検知した場合よりも下げる制御を行うかどうかを、選択可能に構成されている、
請求項１〜４のいずれか１項に記載の空気調和装置。
【請求項６】
前記制御部は、前記除湿運転として、除湿レベルの異なる複数の除湿運転モードが選択可能に構成されている、
請求項１〜５のいずれか１項に記載の空気調和装置。
【請求項７】
前記制御部は、選択された前記除湿運転モードの除湿レベルが高い時に、前記人検知センサが人の不存在を検知した場合に、前記室内熱交換器における前記冷媒の蒸発温度を前記人検知センサが人の存在を検知した場合よりも下げる制御を行う、
請求項６に記載の空気調和装置。
【発明の詳細な説明】
【技術分野】
【０００１】
除湿運転を行う空気調和装置
【背景技術】
【０００２】
従来より、圧縮機と、室外熱交換器と、膨張機構と、室内熱交換器と、が接続されて構成された冷媒回路を有する空気調和装置がある。そして、この空気調和装置において、特許文献１（特開２００４−７６９７３号公報）に示すように、冷媒回路に封入された冷媒を圧縮機、室外熱交換器、膨張機構、室内熱交換器の順に循環させる除湿運転を行うことがある。
【発明の概要】
【発明が解決しようとする課題】
【０００３】
特許文献１の空気調和装置の除湿運転では、除湿量が足りず、室内にある物品に結露やカビが発生するおそれがある。
【課題を解決するための手段】
【０００４】
第１の観点にかかる空気調和装置は、冷媒回路と、室内ファンと、制御部と、を有している。冷媒回路は、圧縮機と、室外熱交換器と、膨張機構と、室内熱交換器と、が接続されて構成されている。室内ファンは、室内熱交換器に室内空気を送る。制御部は、冷媒回路に封入された冷媒を圧縮機、室外熱交換器、膨張機構、室内熱交換器の順に循環させる除湿運転を行う。そして、ここでは、室内における人の存在の有無を検知する人検知センサをさらに有している。制御部は、除湿運転時に、人検知センサが人の不存在を検知した場合に、室内熱交換器における冷媒の蒸発温度を人検知センサが人の存在を検知した場合よりも下げるように、圧縮機の容量及び室内ファンの風量を制御する。
【０００５】
ここでは、室内に人が不存在の場合に、蒸発温度を下げるように圧縮機の容量及び室内ファンの風量を制御することで除湿能力を大きくできるため、除湿量を増大させることができ、これにより、室内にある物品に結露やカビが発生するおそれを少なくすることができる。
【０００６】
第２の観点にかかる空気調和装置は、第１の観点にかかる空気調和装置において、制御部が、人検知センサが人の不存在を検知した場合に、人検知センサが人の存在を検知した場合よりも圧縮機の容量を大きくする制御を行う。
【０００７】
ここでは、室内に人が不存在の場合に、圧縮機の容量を大きくすることで室内熱交換器において熱交換を行う冷媒の流量を増加させて、除湿量を増大させることができる。
【０００８】
第３の観点にかかる空気調和装置は、第２の観点にかかる空気調和装置において、制御部が、人検知センサが人の不存在を検知した場合に、人検知センサが人の存在を検知した場合よりも室内ファンの風量を大きくする制御を行う。
【０００９】
ここでは、室内に人が不存在の場合に、室内ファンの風量を大きくすることで室内熱交換器において熱交換を行う室内空気の風量を増加させて、除湿量を増大させることができる。
【００１０】
第４の観点にかかる空気調和装置は、第２の観点にかかる空気調和装置において、制御部が、人検知センサが人の不存在を検知した場合に、室内ファンの風量を最大風量に制御する。
【００１１】
ここでは、室内に人が不存在の場合に、室内ファンの風量を大きくすることで室内熱交換器において熱交換を行う室内空気の風量を最大限まで増加させて、除湿量を大幅に増大させることができる。
【００１２】
第５の観点にかかる空気調和装置は、第１〜第４の観点のいずれかにかかる空気調和装置において、制御部が、除湿運転時に、人検知センサが人の不存在を検知した場合に、室内熱交換器における冷媒の蒸発温度を人検知センサが人の存在を検知した場合よりも下げる制御を行うかどうかを、選択可能に構成されている。
【００１３】
ユーザーによっては、室内に結露やカビが発生するおそれがある物品がない等の理由で、室内に人が不存在の場合の制御が不要な場合があるため、ここでは、ユーザーのニーズに応じて、室内に人が不存在の場合の制御を行うかどうかを選択できるようにしている。
【００１４】
第６の観点にかかる空気調和装置は、第１〜第５の観点のいずれかにかかる空気調和装置において、制御部が、除湿運転として、除湿レベルの異なる複数の除湿運転モードが選択可能に構成されている。
【００１５】
ここでは、ユーザーの除湿レベルのニーズに適した除湿運転を行うことができる。
【００１６】
第７の観点にかかる空気調和装置は、第６の観点にかかる空気調和装置において、制御部が、選択された除湿運転モードの除湿レベルが高い時に、人検知センサが人の不存在を検知した場合に、室内熱交換器における冷媒の蒸発温度を人検知センサが人の存在を検知した場合よりも下げる制御を行う。
【００１７】
ここでは、除湿量を増大させたいというユーザーのニーズに対応する場合だけ、室内に人が不存在の場合の制御を行うことができる。
【図面の簡単な説明】
【００１８】
【図１】本開示の一実施形態にかかる空気調和装置の概略構成図である。
【図２】空気調和装置を構成する室内ユニットの外観斜視図である。
【図３】室内ユニットの概略側面断面図であって、図２のＩ−Ｏ−Ｉ断面図である。
【図４】空気調和装置の制御ブロック図である。
【図５】冷房運転時の制御フローチャートである。
【図６】除湿運転時の制御フローチャート（モード選択）である。
【図７】除湿運転時の制御フローチャート（除湿運転モードＬ、Ｍ）である。
【図８】除湿運転時の制御フローチャート（除湿運転モードＨ）である。
【発明を実施するための形態】
【００１９】
以下、空気調和装置の実施形態について、図面に基づいて説明する。
【００２０】
（１）機器構成
図１は、本開示の一実施形態にかかる空気調和装置１の概略構成図である。
【００２１】
＜全体＞
空気調和装置１は、蒸気圧縮式の冷凍サイクルによって、建物等の室内の空調を行う装置である。空気調和装置１は、主として、室外ユニット２と、室内ユニット３と、室外ユニット２と室内ユニット３とを接続する液冷媒連絡管４及びガス冷媒連絡管５と、を有している。そして、空気調和装置１の蒸気圧縮式の冷媒回路１０は、室外ユニット２と室内ユニット３とが液冷媒連絡管４及びガス冷媒連絡管５を介して接続されることによって構成されている。
【００２２】
＜室外ユニット＞
室外ユニット２は、室外（建物の屋上や建物の外壁面近傍等）に設置されている。室外ユニット２は、上記のように、液冷媒連絡管４及びガス冷媒連絡管５を介して室内ユニット３に接続されており、冷媒回路１０の一部を構成している。室外ユニット２は、主として、圧縮機２１と、四路切換弁２３と、室外熱交換器２４と、膨張弁２５と、を有している。
【００２３】
圧縮機２１は、冷凍サイクルにおける低圧の冷媒を高圧になるまで圧縮する機構である。ここでは、圧縮機２１として、ロータリ式やスクロール式等の容積式の圧縮要素（図示せず）が圧縮機モータ２２によって回転駆動される密閉式構造の圧縮機が使用されている。また、ここでは、圧縮機モータ２２は、インバータ等により回転数（周波数）制御が可能になっており、これにより、圧縮機２１の容量を制御できるようになっている。
【００２４】
四路切換弁２３は、冷房運転又は除湿運転と暖房運転との切換時に、冷媒の流れの方向を切り換えるための弁である。四路切換弁２３は、冷房運転又は除湿運転時には、圧縮機２１の吐出側と室外熱交換器２４のガス側とを接続するとともに、ガス冷媒連絡管５を介して室内熱交換器３１（後述）のガス側と圧縮機２１の吸入側とを接続することが可能である（図１における四路切換弁２３の実線を参照）。また、四路切換弁２３は、暖房運転時には、ガス冷媒連絡管５を介して圧縮機２１の吐出側と室内熱交換器３１のガス側とを接続するとともに、室外熱交換器２４のガス側と圧縮機２１の吸入側とを接続することが可能である（図１における四路切換弁２３の破線を参照）。
【００２５】
室外熱交換器２４は、冷房運転又は除湿運転時には冷媒の放熱器として機能し、暖房運転時には冷媒の蒸発器として機能する熱交換器である。室外熱交換器２４は、その液側が膨張弁２５に接続されており、ガス側が四路切換弁２３に接続されている。
【００２６】
膨張弁２５は、冷房運転又は除湿運転時には室外熱交換器２４において放熱した高圧の液冷媒を室内熱交換器３１に送る前に減圧し、暖房運転時には室内熱交換器３１において放熱した高圧の液冷媒を室外熱交換器２４に送る前に減圧することが可能な膨張機構である。ここでは、膨張弁２５として、開度制御が可能な電動膨張弁が使用されている。
【００２７】
また、室外ユニット２には、ユニット内に室外空気を吸入して、室外熱交換器２４に室外空気を供給した後に、ユニット外に排出するための室外ファン２６が設けられている。すなわち、室外熱交換器２４は、室外空気を冷却源又は加熱源として冷媒を放熱や蒸発させる熱交換器となっている。室外ファン２６は、室外ファンモータ２７によって回転駆動されるようになっている。
【００２８】
また、室外ユニット２には、各種のセンサが設けられている。具体的には、室外ユニット２には、圧縮機２１の吸入圧力Ｐｓを検出する吸入圧力センサ２８が設けられている。
【００２９】
＜冷媒連絡管＞
冷媒連絡管４、５は、空気調和装置１を建物等の設置場所に設置する際に、現地にて施工される冷媒管である。液冷媒連絡管４の一端は、室内ユニット２の膨張弁２５側に接続され、液冷媒連絡管４の他端は、室内ユニット３の室内熱交換器３１の液側に接続されている。ガス冷媒連絡管５の一端は、室内ユニット２の四路切換弁２３側に接続され、ガス冷媒連絡管５の他端は、室内ユニット３の室内熱交換器３１のガス側に接続されている。
【００３０】
＜室内ユニット＞
室内ユニット３は、室内（建物内）に設置されている。室内ユニット３は、上記のように、液冷媒連絡管４及びガス冷媒連絡管５を介して室外ユニット２に接続されており、冷媒回路１０の一部を構成している。室内ユニット３は、主として、室内熱交換器３１と、室内ファン３２と、を有している。
【００３１】
ここでは、室内ユニット３として、天井埋込型と呼ばれる型式の室内ユニットが採用されている。室内ユニット３は、図２及び図３に示すように、内部に構成機器を収納するケーシング４１を有している。ケーシング４１は、ケーシング本体４１ａと、ケーシング本体４１ａの下側に配置された化粧パネル４２とから構成されている。ケーシング本体４１ａは、図２に示すように、天井Ｕに形成された開口に挿入されて配置されている。そして、化粧パネル４２は、天井Ｕの開口に嵌め込まれるように配置されている。ここで、図２は、室内ユニット３の外観斜視図である。図３は、室内ユニット３の概略側面断面図であって、図２のＩ−Ｏ−Ｉ断面図である。
【００３２】
ケーシング本体４１ａは、平面視が長辺と短辺とが交互に形成された略８角形状の箱状体であり、その下面が開口している。ケーシング本体４１ａは、長辺と短辺とが交互に連続して形成された略８角形状の天板４３と、天板４３の周縁部から下方に延びる側板４４とを有している。
【００３３】
化粧パネル４２は、ケーシング４１の下面を構成している平面視が略多角形状（ここでは、略４角形状）の板状体であり、主として、ケーシング本体４１ａの下端部に固定されたパネル本体４２ａから構成されている。パネル本体４２ａは、その略中央に室内の空気を吸入する吸入口４５と、平面視における吸入口４５の周囲を囲むように形成された室内に空気を吹き出す吹出口４６とを有している。吸入口４５は、略４角形状の開口である。吸入口４５には、吸入グリル４７と、吸入口４５から吸入される空気中の塵埃を除去するための吸入フィルタ４８とが設けられている。吹出口４６は、パネル本体４２ａの４角形の各辺に沿うように形成された複数（ここでは、４つ）の辺部吹出口４６ａと、パネル本体４２ａの角部に形成された複数（ここでは、４つ）の角部吹出口４６ｂと、を有している。そして、各辺部吹出口４６ａには、各辺部吹出口から室内に吹き出される空気の上下方向の風向角度を変更することが可能な複数（ここでは、４つ）の風向変更羽根４９が設けられている。風向変更羽根４９は、辺部吹出口４６ａの長手方向に沿って細長く延びる板状の部材である。風向変更羽根４９は、長手方向の軸周りに回動されて上下方向の風向角度を可変できるようになっている。
【００３４】
ケーシング本体４１ａの内部には、主として、室内熱交換器３１と、室内ファン３２とが配置されている。
【００３５】
室内熱交換器３１は、冷房運転又は除湿運転時には冷媒の蒸発器として機能し、暖房運転時には冷媒の放熱器として機能する熱交換器である。室外熱交換器３１は、その液側が液冷媒連絡管４に接続されており、ガス側がガス冷媒連絡管５に接続されている。室内熱交換器３１は、平面視における室内ファン３２の周囲を囲むように曲げられて配置された熱交換器である。室内熱交換器３１は、室内ファン３２によってケーシング本体４１ａ内に吸入される室内空気と冷媒との熱交換を行うようになっている。また、室内熱交換器３１の下側には、室内熱交換器３１によって室内空気中の水分が凝縮されて生じるドレン水を受けるためのドレンパン３１ａが配置されている。ドレンパン３１ａは、ケーシング本体４１ａの下部に装着されている。
【００３６】
室内ファン３２は、化粧パネル４２の吸入口４５を通じてケーシング本体４１ａ内に室内空気を吸入して化粧パネル４２の吹出口４６を通じてケーシング本体４１ａ内から室内に吹き出すファンである。すなわち、室内熱交換器３１は、室内空気を冷却源又は加熱源として冷媒を放熱や蒸発させる熱交換器となっている。ここでは、室内ファン３２として、下方から室内空気を吸入し、平面視における外周側に向かって吹き出す遠心ファンが使用されている。室内ファン３２は、ケーシング本体４１ａの天板４３の中央に設けられた室内ファンモータ３３によって回転駆動されるようになっている。また、ここでは、室内ファンモータ３３は、インバータ等により回転数（周波数）制御が可能になっており、これにより、室内ファン３２の風量を制御できるようになっている。具体的には、室内ファン３２の風量として、最大風量の風量Ｈ、風量Ｈよりも小さい中程度の風量の風量Ｍ、風量Ｍよりも小さく小風量の風量Ｌ、及び、風量Ｌよりも小さい最小風量の風量ＬＬ、の４つが準備されている。ここで、風量ＬＬは、在室者がリモコン６０（後述）によって設定することができない風量である。
【００３７】
また、室内ユニット３には、各種のセンサが設けられている。具体的には、室内ユニット３には、室内ユニット３内に吸入される室内空気の温度（室内温度Ｔｒ）及び湿度（室内湿度Ｈｒ）を検出する室内温度センサ３４及び室内湿度センサ３５が設けられている。また、室内ユニット３には、室内における人の存在の有無を検知する人検知センサ３６が設けられている。ここでは、人検知センサ３６として、１つ又は複数の赤外線受光素子を有する赤外線センサが使用されており、化粧パネル４２の角部に設けられている。尚、人検知センサ３６は、化粧パネル４２の角部に設けられていなくてもよく、室内ユニット３の別の部分に設けられていてもよいし、また、室内ユニット３ではなく、室内のどこかに設けられていてもよい。
【００３８】
（２）制御構成
図４は、空気調和装置１の制御ブロック図である。
【００３９】
＜全体＞
冷凍装置としての空気調和装置１は、構成機器の運転制御を行うために、室外側制御部２０と室内側制御部３０とリモコン６０とが伝送線や通信線を介して接続された制御部６を有している。室外側制御部２０は、室内ユニット２に設けられている。室内側制御部３０は、室内ユニット３に設けられている。リモコン６０は、室内に設けられている。尚、ここでは、制御部２０、３０及びリモコン６０が伝送線や通信線を介して有線接続されているが、無線接続されていてもよい。
【００４０】
＜室外側制御部＞
室外側制御部２０は、上記のように、室外ユニット２に設けられており、主として、室外側ＣＰＵ２０ａと、室外側伝送部２０ｂと、室外側記憶部２０ｃと、を有している。室内側制御部２０は、吸入圧力センサ２８の検出信号を受けることができるようになっている。
【００４１】
室外側ＣＰＵ２０ａは、室外側伝送部２０ｂ及び室外側記憶部２０ｃに接続されている。熱源側伝送部２０ｂは、室内側制御部３０ａとの間で制御データ等の伝送を行う。室外側記憶部２０ｃは、制御データ等を記憶する。そして、室外側ＣＰＵ２０ａは、室外側伝送部２０ｂや室外側記憶部２０ｃを介して、制御データ等の伝送や読み書きを行いつつ、室外ユニット２に設けられた構成機器２１、２３、２５、２６等の運転制御を行う。
【００４２】
＜室内側制御部＞
室内側制御部３０は、上記のように、室内ユニット３に設けられており、主として、室内側ＣＰＵ３０ａと、室内側伝送部３０ｂと、室内側記憶部３０ｃと、室内側通信部３０ｄと、を有している。室内側制御部３０は、室内温度センサ３４、室内湿度センサ３５及び人検知センサ３６の検出信号を受けることができるようになっている。
【００４３】
室内側ＣＰＵ３０ａは、室内側伝送部３０ｂ、室内側記憶部３０ｃ及び室内側記憶部３０ｄに接続されている。室内側伝送部３０ｂは、室外側制御部２０との間で制御データ等の伝送を行う。室内側記憶部３０ｂは、制御データ等を記憶する。室内側通信部３０ｃは、リモコン６０との間で制御データ等の送受信を行う。そして、室内側ＣＰＵ３０ａは、室内側伝送部３０ｂや室内側記憶部３０ｃ、室内側通信部３０ｄを介して、制御データ等の伝送や読み書き、送受信を行いつつ、室内ユニット３に設けられた構成機器３２、４９等の運転制御を行う。
【００４４】
＜リモコン＞
リモコン６０は、上記のように、室内に設けられており、主として、リモコンＣＰＵ６１と、リモコン記憶部６２と、リモコン通信部６３と、リモコン操作部６４と、リモコン表示部６５と、を有している。
【００４５】
リモコンＣＰＵ６１は、リモコン通信部６２、リモコン記憶部６３、リモコン操作部６４及びリモコン表示部６５に接続されている。リモコン通信部６２は、室内側通信部３０ｃとの間で制御データ等の送受信を行う。リモコン記憶部６３は、制御データ等を記憶する。リモコン操作部６４は、ユーザーからの制御指令等の入力を受け付ける。リモコン表示部６５は、運転表示等を行う。そして、リモコンＣＰＵ６１は、リモコン操作部６４を介して運転指令や制御指令等の入力を受け付けて、リモコン記憶部６３に制御データ等の読み書きを行い、リモコン表示部６５に運転状態や制御状態の表示等を行いつつ、リモコン通信部６２を介して、室内側制御部３０に制御指令等を行う。
【００４６】
このように、冷凍装置としての空気調和装置１は、構成機器の運転制御を行う制御部６を有している。そして、制御部６は、吸入圧力センサ２８、室内温度センサ３４、室内湿度センサ３５及び人検知センサ３６の検出信号等に基づいて構成機器２１、２３、２５、２６、３２、４９等の制御を行い、冷房運転や除湿運転、暖房運転等の空調運転及び各種制御を行うことができるようになっている。
【００４７】
（３）基本動作
次に、空気調和装置１の基本動作（暖房運転、冷房運転、及び、除湿運転）について説明する。
【００４８】
＜暖房運転＞
空気調和装置１では、空調運転としての暖房運転を行うことができる。暖房運転は、リモコン操作部６４を介して暖房運転の指令を受け付けた制御部６が、室外ユニット２及び室外ユニット３の構成機器２１、２３、２５、２６、３２、４９等を運転制御することによって行われる。
【００４９】
暖房運転においては、室外熱交換器２４が冷媒の蒸発器として機能し、かつ、室内熱交換器３１が冷媒の放熱器として機能する状態（すなわち、図１の四路切換弁２３の破線で示される状態）になるように、四路切換弁２３が切り換えられる。
【００５０】
このような状態の冷媒回路１０において、冷凍サイクルにおける低圧の冷媒は、圧縮機２１に吸入され、冷凍サイクルにおける高圧まで圧縮された後に吐出される。圧縮機２１から吐出された高圧の冷媒は、四路切換弁２３及びガス冷媒連絡管５を通じて、室内熱交換器３１に送られる。室内熱交換器３１に送られた高圧の冷媒は、室内熱交換器３１において、室内ファン３２によって供給される室内空気と熱交換を行って放熱する。これにより、室内空気は加熱されて室内に吹き出される。室内熱交換器３１において放熱した高圧の冷媒は、液冷媒連絡管４を通じて、膨張弁２５に送られて、冷凍サイクルにおける低圧まで減圧される。膨張弁２５において減圧された低圧の冷媒は、室外熱交換器２４に送られる。室外熱交換器２４に送られた低圧の冷媒は、室外熱交換器２４において、室外ファン２６によって供給される室外空気と熱交換を行って蒸発する。室外熱交換器２４において蒸発した低圧の冷媒は、四路切換弁２３を通じて、再び、圧縮機２１に吸入される。このように、暖房運転においては、制御部６によって、冷媒回路１０に封入された冷媒が圧縮機２１、室内熱交換器３１、膨張弁２５、室外熱交換器２４の順に循環する動作がなされるようになっている。
【００５１】
＜冷房運転＞
空気調和装置１では、空調運転としての冷房運転を行うことができる。冷房運転は、リモコン操作部６４を介して冷房運転の指令を受け付けた制御部６が、室外ユニット２及び室外ユニット３の構成機器２１、２３、２５、２６、３２、４９等を運転制御することによって行われる。
【００５２】
冷房運転においては、室外熱交換器２４が冷媒の放熱器として機能し、かつ、室内熱交換器３１が冷媒の蒸発器として機能する状態（すなわち、図１の四路切換弁２３の実線で示される状態）になるように、四路切換弁２３が切り換えられる。
【００５３】
このような状態の冷媒回路１０において、冷凍サイクルにおける低圧の冷媒は、圧縮機２１に吸入され、冷凍サイクルにおける高圧まで圧縮された後に吐出される。圧縮機２１から吐出された高圧の冷媒は、四路切換弁２３を通じて、室外熱交換器２４に送られる。室外熱交換器２４に送られた高圧の冷媒は、室外熱交換器２４において、室外ファン２６によって供給される室外空気と熱交換を行って放熱する。室外熱交換器２４において放熱した高圧の冷媒は、膨張弁２５に送られて、冷凍サイクルにおける低圧まで減圧される。膨張弁２５において減圧された低圧の冷媒は、液冷媒連絡管４を通じて、室内熱交換器３１に送られる。室内熱交換器３１に送られた低圧の冷媒は、室内熱交換器３１において、室内ファン３２によって供給される室内空気と熱交換を行って蒸発する。これにより、室内空気は冷却されて室内に吹き出される。室内熱交換器３１において蒸発した低圧の冷媒は、ガス冷媒連絡管５及び四路切換弁２３を通じて、再び、圧縮機２１に吸入される。このように、冷房運転においては、制御部６によって、冷媒回路１０に封入された冷媒が圧縮機２１、室外熱交換器２４、膨張弁２５、室内熱交換器３１の順に循環する動作がなされるようになっている。
【００５４】
＜除湿運転＞
空気調和装置１では、空調運転としての除湿運転を行うことができる。除湿運転は、リモコン操作部６４を介して除湿運転の指令を受け付けた制御部６が、室外ユニット２及び室外ユニット３の構成機器２１、２３、２５、２６、３２、４９等を運転制御することによって行われる。
【００５５】
除湿運転においては、冷房運転と同様に、室外熱交換器２４が冷媒の放熱器として機能し、かつ、室内熱交換器３１が冷媒の蒸発器として機能する状態（すなわち、図１の四路切換弁２３の実線で示される状態）になるように、四路切換弁２３が切り換えられる。
【００５６】
このような状態の冷媒回路１０において、冷凍サイクルにおける低圧の冷媒は、圧縮機２１に吸入され、冷凍サイクルにおける高圧まで圧縮された後に吐出される。圧縮機２１から吐出された高圧の冷媒は、四路切換弁２３を通じて、室外熱交換器２４に送られる。室外熱交換器２４に送られた高圧の冷媒は、室外熱交換器２４において、室外ファン２６によって供給される室外空気と熱交換を行って放熱する。室外熱交換器２４において放熱した高圧の冷媒は、膨張弁２５に送られて、冷凍サイクルにおける低圧まで減圧される。膨張弁２５において減圧された低圧の冷媒は、液冷媒連絡管４を通じて、室内熱交換器３１に送られる。室内熱交換器３１に送られた低圧の冷媒は、室内熱交換器３１において、室内ファン３２によって供給される室内空気と熱交換を行って蒸発する。これにより、室内空気は除湿されて室内に吹き出される。室内熱交換器３１において蒸発した低圧の冷媒は、ガス冷媒連絡管５及び四路切換弁２３を通じて、再び、圧縮機２１に吸入される。このように、除湿運転においては、制御部６によって、冷媒回路１０に封入された冷媒が圧縮機２１、室外熱交換器２４、膨張弁２５、室内熱交換器３１の順に循環する動作がなされるようになっている。
【００５７】
（４）冷房運転時の制御
上記の冷房運転においては、以下のような制御が行われる。図５は、冷房運転のフローチャートである。
【００５８】
＜ステップＳＴ１（サーモオン）＞
制御部６は、ステップＳＴ１、すなわち、冷房運転の動作時（圧縮機２１を運転させて冷媒の循環を行わせる動作時、サーモオン中）において、冷媒回路１０における冷媒の蒸発温度Ｔｅが目標蒸発温度Ｔｅｃｓになるように圧縮機２１の容量を制御する容量制御を行う。また、制御部６は、ステップＳＴ１のサーモオン中において、室内ファン３２の風量を、在室者がリモコン６０のリモコン操作部６４から入力することによって選択された設定風量（ここでは、風量Ｌ、風量Ｍ、及び、風量Ｈのいずれか）に制御する。
【００５９】
圧縮機２１の容量制御は、冷媒の蒸発温度Ｔｅが目標蒸発温度Ｔｅｃｓよりも高い場合には、圧縮機２１の回転数（周波数）を大きくすることによって圧縮機２１の容量を大きくし、冷媒の蒸発温度Ｔｅが目標蒸発温度Ｔｅｃｓよりも低い場合には、圧縮機２１の回転数（周波数）を小さくすることによって圧縮機２１の容量を小さくする制御である。
【００６０】
ここで、制御部６は、目標蒸発温度Ｔｅｃｓを室内温度Ｔｒから目標室内温度Ｔｒｓを差し引いた温度差ΔＴｒに基づいて決定する。具体的には、制御部６は、温度差ΔＴｒが大きいほど目標蒸発温度Ｔｅｃｓが低くなるように決定する。目標室内温度Ｔｒｓは、在室者がリモコン６０のリモコン操作部６４から入力することによって設定されている。また、冷媒の蒸発温度Ｔｅは、吸入圧力Ｐｓを冷媒の飽和温度に換算することによって得られる。冷媒の蒸発温度Ｔｅとは、冷房運転時において、膨張弁２５の出口から室内熱交換器３１を経由して圧縮機２１の吸入側に至るまでの間を流れる冷凍サイクルにおける低圧の冷媒を代表する圧力（冷媒回路１０における冷媒の蒸発圧力Ｐｅ）を冷媒の飽和温度に換算することによって得られる温度、又は、冷媒の蒸発器として機能する室内熱交換器３１における冷媒の飽和温度を意味する。このため、室内熱交換器３１に温度センサを設ける場合には、この温度センサによって検出される冷媒の温度を冷媒の蒸発温度Ｔｅとしてもよい。
【００６１】
尚、ここでは、容量制御における制御対象の状態量を蒸発温度Ｔｅとしているが、蒸発圧力Ｐｅであってもよい。この場合には、制御目標値として、目標蒸発温度Ｔｅｃｓに相当する目標蒸発圧力Ｐｅｃｓを使用すればよい。この容量制御において蒸発圧力Ｐｅ及び目標蒸発圧力Ｐｅｃｓを使用することも、蒸発温度Ｔｅ及び目標蒸発温度Ｔｅｃｓを使用することと同じである。
【００６２】
＜ステップＳＴ２（サーモオフ条件を満たすかどうかの判定）＞
制御部６は、ステップＳＴ１のサーモオン中に、ステップＳＴ２において、サーモオフ条件を満たすかどうかの判定を行う。
【００６３】
制御部６は、サーモオフ条件を満たすかどうかを判定する判定要素として、室内温度Ｔｒによるサーモオフ温度条件を有している。そして、制御部６は、サーモオフ温度条件を満たした場合には、サーモオフ条件を満たすものと判定し、サーモオフ温度条件を満たさない場合には、サーモオフ条件を満たさないものと判定する。具体的には、制御部６は、サーモオン中に、室内温度Ｔｒが低くなり、室内温度Ｔｒがサーモオフ温度Ｔｒｃｆ以下に達した場合にサーモオフ温度条件を満たすものと判定し、室内温度Ｔｒがサーモオフ温度Ｔｒｃｆよりも高い場合にサーモオフ温度条件を満たさないものと判定する。ここで、サーモオフ温度Ｔｒｃｆは、目標室内温度Ｔｒｓにサーモオフ温度差ΔＴｒｃｆを加えた値である。サーモオフ温度差ΔＴｒｃｆは、−１度から＋１度程度の値に設定される。
【００６４】
尚、ここでは、サーモオフ条件を満たすかどうかを、室内温度Ｔｒがサーモオフ温度Ｔｒｃｆに達したかどうかによって判定しているが、これに限定されるものではない。例えば、室内温度Ｔｒから目標室内温度Ｔｒｓを差し引いた温度差ΔＴｒがサーモオフ温度差ΔＴｒｃｆに達したかどうかによって判定してもよく、この温度差ΔＴｒによる判定も、室内温度Ｔｒがサーモオフ温度Ｔｒｃｆに達したかどうかによって判定することと同じである。
【００６５】
＜ステップＳＴ３（サーモオフ）＞
制御部６は、ステップＳＴ２において、室内温度Ｔｒがサーモオフ温度Ｔｒｃｆ以下に達することでサーモオフ条件を満たすものと判定した場合には、ステップＳＴ３において、圧縮機２１を停止させて冷媒の循環を止めて冷房運転の動作を休止させる（サーモオフ）。
【００６６】
＜ステップＳＴ４（サーモオン条件を満たすかどうかの判定）＞
制御部６は、ステップＳＴ３のサーモオフ中に、ステップＳＴ４において、サーモオン条件を満たすかどうかの判定を行う。
【００６７】
制御部６は、サーモオン条件を満たすかどうかを判定する判定要素として、室内温度Ｔｒによるサーモオン温度条件を有している。そして、制御部６は、サーモオン温度条件を満たした場合には、サーモオン条件を満たすものと判定し、サーモオン温度条件を満たさない場合には、サーモオン条件を満たさないものと判定する。具体的には、制御部６は、サーモオフ中に、室内温度Ｔｒが高くなり、室内温度Ｔｒがサーモオン温度Ｔｒｃｎ以上に達した場合にサーモオン温度条件を満たすものと判定し、室内温度Ｔｒがサーモオン温度Ｔｒｃｎよりも低い場合にサーモオン温度条件を満たさないものと判定する。ここで、サーモオン温度Ｔｒｃｎは、目標室内温度Ｔｒｓにサーモオン温度差ΔＴｒｃｎを加えた値である。サーモオン温度差ΔＴｒｃｎは、０度から＋２度程度の値に設定される。
【００６８】
尚、ここでは、サーモオン条件を満たすかどうかを、室内温度Ｔｒがサーモオン温度Ｔｒｃｎに達したかどうかによって判定しているが、これに限定されるものではない。例えば、室内温度Ｔｒから目標室内温度Ｔｒｓを差し引いた温度差ΔＴｒがサーモオン温度差ΔＴｒｃｎに達したかどうかによって判定してもよく、この温度差ΔＴｒによる判定も、室内温度Ｔｒがサーモオン温度Ｔｒｃｎに達したかどうかによって判定することと同じである。
【００６９】
そして、制御部６は、ステップＳＴ４において、サーモオン条件を満たすものと判定した場合には、ステップＳＴ１に戻り、圧縮機２１を起動して、冷房運転の動作（サーモオン）を行う。
【００７０】
（５）除湿運転時の制御
上記の除湿運転においては、以下のような制御が行われる。図６は、除湿運転のフローチャート（モード選択）であり、図７は、除湿運転のフローチャート（除湿運転モードＬ、Ｍ）であり、図８は、除湿運転のフローチャート（除湿運転モードＨ）である。
【００７１】
＜ステップＳＴ１１（モード選択）＞
ここでは、在室者の除湿レベルのニーズに応じるために、除湿運転として、除湿レベルの異なる複数の除湿運転モードが準備されている。ここで、除湿レベルとは、除湿運転によって得ようとする室内湿度Ｈｒの程度を意味しており、除湿運転によって得ようとする室内湿度Ｈｒが低いほど、除湿レベルが高いということになる。具体的には、除湿運転モードとして、最も除湿レベルが低い除湿運転モードＬ、除湿運転モードＬよりも除湿レベルが高い中程度の除湿レベルの除湿運転モードＭ、及び、除湿運転モードＭよりも除湿レベルが高い除湿運転モードＨ、の３つが制御部６に準備されている。ここで、除湿運転モードの選択は、ステップＳＴ１１において、在室者がリモコン６０のリモコン操作部６４から入力することによって選択される。
【００７２】
＜ステップＳＴ１２（除湿運転モードＬ）＞
制御部６は、ステップＳＴ１１において、除湿運転モードＬが選択されると、ステップＳＴ１２（すなわち、ステップＳＴ２１〜ＳＴ２７）の制御を行う。
【００７３】
−ステップＳＴ２１（サーモオン）−
制御部６は、ステップＳＴ２１、すなわち、除湿運転の動作時（圧縮機２１を運転させて冷媒の循環を行わせる動作時、サーモオン中）において、冷媒回路１０における冷媒の蒸発温度Ｔｅが目標蒸発温度Ｔｅｄｓになるように圧縮機２１の容量を制御する容量制御を行う。また、制御部６は、ステップＳＴ２１のサーモオン中において、冷房運転時のステップＳＴ１とは異なり、室内ファン３２の風量を風量Ｌ又は風量ＬＬに制限する風量制御を行う。
【００７４】
圧縮機２１の容量制御は、目標蒸発温度Ｔｅｃｓを目標蒸発温度Ｔｅｄｓとしている点を除いては、冷房運転時のステップＳＴ１と同じである。このため、ここでは、圧縮機２１の容量制御の説明を省略する。ここで、目標蒸発温度Ｔｅｄｓは、目標蒸発温度Ｔｅｃｓ以下の値に設定される。
【００７５】
−ステップＳＴ２２（サーモオフ条件を満たすかどうかの判定１）−
制御部６は、ステップＳＴ２１のサーモオン中に、ステップＳＴ２２において、サーモオフ条件を満たすかどうかの判定を行う。
【００７６】
制御部６は、サーモオフ条件を満たすかどうかを判定する判定要素として、室内温度Ｔｒによる第１サーモオフ温度条件と、室内湿度Ｈｒによるサーモオフ湿度条件と、を有している。そして、制御部６は、第１サーモオフ温度条件及びサーモオフ湿度条件の両方を満たしている場合には、サーモオフ条件を満たすものと判定し、第１サーモオフ温度条件及びサーモオフ湿度条件の一方又は両方を満たしていない場合には、サーモオフ条件を満たさないものと判定する。すなわち、除湿運転モードＬにおいては、冷房運転時のステップＳＴ２とは異なり、サーモオフ温度条件だけでなく、サーモオフ湿度条件も考慮してサーモオフ条件を満たすかどうかを判定している。
【００７７】
具体的には、制御部６は、サーモオン中に、室内温度Ｔｒが低くなり、室内温度Ｔｒが第１サーモオフ温度ＴｒｄｆＬ１以下に達した状態が所定時間ｔＬ連続して継続した時点で第１サーモオフ温度条件を満たすものと判定し、室内温度Ｔｒが第１サーモオフ温度ＴｒｄｆＬ１よりも高い場合や室内温度Ｔｒが第１サーモオフ温度ＴｒｄｆＬ１以下に達した状態が所定時間ｔＬ連続して継続しない場合に第１サーモオフ温度条件を満たさないものと判定する。ここで、第１サーモオフ温度ＴｒｄｆＬ１は、目標室内温度Ｔｒｓに第１サーモオフ温度差ΔＴｒｄｆＬ１を加えた値である。第１サーモオフ温度差ΔＴｒｄｆＬ１は、−１度から＋１度程度の値に設定され、所定時間ｔＬは、数十秒から数分程度の値に設定される。また、第１サーモオフ温度ＴｒｄｆＬ１（＝目標室内温度Ｔｒｓ＋第１サーモオフ温度差ΔＴｒｄｆＬ１）は、冷房運転時のサーモオフ温度Ｔｒｃｆ（＝目標室内温度Ｔｒｓ＋サーモオフ温度差ΔＴｒｃｆ）と同じ値であってもよいし、低い値であってもよい。
【００７８】
また、制御部６は、サーモオン中に、室内湿度Ｈｒが低くなり、室内湿度Ｈｒが目標室内湿度ＨｒｓＬに達した場合にサーモオフ湿度条件を満たすものと判定し、室内湿度Ｈｒが目標室内湿度ＨｒｓＬよりも高い場合にサーモオフ湿度条件を満たさないものと判定する。ここで、目標室内湿度ＨｒｓＬは、ステップＳＴ１１において除湿運転モードＬが選択された時に、６０％から７０％程度の除湿レベルが低い値（すなわち、高めの相対湿度値）に設定される。
【００７９】
尚、ここでは、サーモオフ条件を満たすかどうかを、室内温度Ｔｒが第１サーモオフ温度ＴｒｄｆＬ１に達したかどうか、及び、室内湿度Ｈｒが目標室内湿度ＨｒｓＬに達したかどうかによって判定しているが、これに限定されるものではない。例えば、室内温度Ｔｒから目標室内温度Ｔｒｓを差し引いた温度差ΔＴｒが第１サーモオフ温度差ΔＴｒｄｆＬ１に達したかどうか、及び、室内湿度Ｈｒから目標室内湿度Ｈｒｓを差し引いた湿度差ΔＨｒが０（ゼロ）に達したかどうか、によって判定してもよい。これらの温度差ΔＴｒ及び湿度差ΔＨｒによる判定も、室内温度Ｔｒが第１サーモオフ温度ＴｒｄｆＬ１に達したかどうか、及び、室内湿度Ｈｒが目標室内湿度ＨｒｓＬに達したかどうか、によって判定することと同じである。
【００８０】
−ステップＳＴ２３（サーモオフ）−
制御部６は、ステップＳＴ２２において、室内温度Ｔｒが第１サーモオフ温度ＴｒｄｆＬ１以下に達した状態が所定時間ｔＬ連続して継続した時に室内湿度Ｈｒが目標室内湿度ＨｒｓＬに達することでサーモオフ条件を満たすものと判定した場合には、ステップＳＴ２３において、圧縮機２１を停止させて冷媒の循環を止めて除湿運転の動作を休止させる（サーモオフ）。また、制御部６は、ステップＳＴ２７（後述）において、室内温度Ｔｒが第２サーモオフ温度ＴｒｄｆＬ２以下に達することでサーモオフ条件を満たすものと判定した場合にも、サーモオフを行う。
【００８１】
−ステップＳＴ２４（サーモオン条件を満たすかどうかの判定）−
制御部６は、ステップＳＴ２３のサーモオフ中に、ステップＳＴ２４において、サーモオン条件を満たすかどうかの判定を行う。
【００８２】
制御部６は、サーモオン条件を満たすかどうかを判定する判定要素として、冷房運転時のステップＳＴ４と同様に、室内温度Ｔｒによるサーモオン温度条件を有している。そして、制御部６は、サーモオン温度条件を満たした場合には、サーモオン条件を満たすものと判定し、サーモオン温度条件を満たさない場合には、サーモオン条件を満たさないものと判定する。具体的には、制御部６は、サーモオフ中に、室内温度Ｔｒが高くなり、室内温度Ｔｒがサーモオン温度ＴｒｄｎＬ以上に達した場合にサーモオン温度条件を満たすものと判定し、室内温度Ｔｒがサーモオン温度ＴｒｄｎＬよりも低い場合にサーモオン温度条件を満たさないものと判定する。そして、サーモオン温度ＴｒｄｎＬは、目標室内温度Ｔｒｓにサーモオン温度差ΔＴｒｄｎＬを加えた値である。サーモオン温度差ΔＴｒｄｎＬは、冷房運転時のサーモオン温度Ｔｒｃｎ（＝目標室内温度Ｔｒｓ＋サーモオン温度差ΔＴｒｃｎ）と同じ値であってもよいし、低い値であってもよい。
【００８３】
尚、ここでは、サーモオン条件を満たすかどうかを、室内温度Ｔｒがサーモオン温度ＴｒｄｎＬに達したかどうかによって判定しているが、これに限定されるものではない。例えば、室内温度Ｔｒから目標室内温度Ｔｒｓを差し引いた温度差ΔＴｒがサーモオン温度差ΔＴｒｄｎＬに達したかどうかによって判定してもよく、この温度差ΔＴｒによる判定も、室内温度Ｔｒがサーモオン温度ＴｒｄｎＬに達したかどうかによって判定することと同じである。
【００８４】
そして、制御部６は、ステップＳＴ２４において、サーモオン条件を満たすものと判定した場合には、ステップＳＴ２１に戻り、圧縮機２１を起動して、除湿運転の動作（サーモオン）を行う。
【００８５】
−ステップＳＴ２５（サーモオフ条件を満たすかどうかの判定２）−
制御部６は、ステップＳＴ２１のサーモオン中に、ステップＳＴ２２のサーモオフ条件（第１サーモオフ温度条件及びサーモオフ湿度条件の両方）を満たさない場合に、ステップＳＴ２５において、第１サーモオフ温度条件を満たすが、サーモオフ湿度条件を満たしていない場合であるかどうかの判定を行う。すなわち、制御部６は、第１サーモオフ温度条件を満たした時にサーモオフ湿度条件を満たさないかどうかの判定を行う。そして、制御部６は、第１サーモオフ温度条件を満たした時にサーモオフ湿度条件を満たさない場合には、サーモオフを行わずに、ステップＳＴ２６の除湿継続制御を行う。
【００８６】
−ステップＳＴ２６（サーモオン、除湿継続制御）−
制御部６は、ステップＳＴ２６において、冷媒回路１０における冷媒の蒸発温度Ｔｅが目標蒸発温度Ｔｅｄｓになるように圧縮機２１の容量を制御する容量制御及び室内ファン３２の風量制御を継続して行う。但し、ここでは、ステップＳＴ２１の容量制御及び風量制御とは異なり、制御部６は、室内熱交換器３１における冷媒の蒸発温度Ｔｅが室内空気の露点温度Ｔｒｗを下回るように、圧縮機２１の容量及び室内ファン３２の風量を制御する。ここでは、室内ファン３２の風量を最小風量ＬＬに制御するとともに、圧縮機２１の容量を蒸発温度Ｔｅが露点温度Ｔｒｗを下回る範囲で小さくする制御を行う。
【００８７】
ここで、制御部６は、目標蒸発温度Ｔｅｄｓを露点温度Ｔｒｗに基づいて決定する。具体的には、制御部６は、露点温度Ｔｒｗを室内温度Ｔｒ及び室内湿度Ｈｒから算出する。そして、制御部６は、算出された露点温度Ｔｒｗから所定温度差ΔＴｒｗを差し引くことによって目標蒸発温度Ｔｅｄｓを決定する。すなわち、制御部６は、目標蒸発温度Ｔｅｄｓを露点温度Ｔｒｗよりも低くなるように決定するのである。
【００８８】
そして、このような除湿継続制御によって、室内の除湿が継続されて、室内湿度Ｈｒが目標室内湿度ＨｒｓＬに達すると、制御部６は、ステップＳＴ２２において、第１サーモオフ温度条件及びサーモオフ湿度条件の両方を満たすことでサーモオフ条件を満たすものと判定して、ステップＳＴ２３において、サーモオフを行う。
【００８９】
−ステップＳＴ２７（サーモオフ条件を満たすかどうかの判定３）−
制御部６は、ステップＳＴ２６の除湿継続制御中に、ステップＳＴ２２のサーモオフ条件（第１サーモオフ温度条件及びサーモオフ湿度条件の両方）を満たさない場合に、ステップＳＴ２７において、サーモオフ湿度条件を満たさなくても第２サーモオフ温度条件を満たすことでサーモオフ条件を満たすかどうかの判定を行う。
【００９０】
制御部６は、サーモオフ条件を満たすかどうかを判定する判定要素として、第１サーモオフ温度条件よりも低温側の第２サーモオフ温度条件をさらに有している。そして、制御部６は、サーモオフ湿度条件を満たさなくても第２サーモオフ温度条件を満たしている場合には、サーモオフ条件を満たすものと判定し、サーモオフ湿度条件及び第２サーモオフ温度条件を満たさない場合には、サーモオフ条件を満たさないものと判定する。すなわち、ステップＳＴ２６の除湿継続制御中には、ステップＳＴ２２において、第１サーモオフ温度条件及びサーモオフ湿度条件の両方を満たすかどうかを判定するだけでなく、第２サーモオフ温度条件を満たすかどうかも判定している。
【００９１】
具体的には、制御部６は、除湿継続制御中に、室内温度Ｔｒがさらに低くなり、室内温度Ｔｒが第２サーモオフ温度ＴｒｄｆＬ２以下に達した時点で第２サーモオフ温度条件を満たすものと判定し、室内温度Ｔｒが第２サーモオフ温度ＴｒｄｆＬ２よりも高い場合に第２サーモオフ温度条件を満たさないものと判定する。ここで、第２サーモオフ温度ＴｒｄｆＬ２は、目標室内温度Ｔｒｓに第２サーモオフ温度差ΔＴｒｄｆＬ２を加えた値である。そして、第２サーモオフ温度差ΔＴｒｄｆＬ２は、第１サーモオフ温度ＴｒｄｆＬ１よりも低い値（例えば、−３度から−２度程度の値）に設定される。
【００９２】
尚、ここでは、サーモオフ条件を満たすかどうかを、室内温度Ｔｒが第２サーモオフ温度ＴｒｄｆＬ２に達したかどうかによって判定しているが、これに限定されるものではない。例えば、室内温度Ｔｒから目標室内温度Ｔｒｓを差し引いた温度差ΔＴｒが第２サーモオフ温度差ΔＴｒｄｆＬ２に達したかどうかによって判定してもよい。この温度差ΔＴｒによる判定も、室内温度Ｔｒが第２サーモオフ温度ＴｒｄｆＬ２に達したかどうかによって判定することと同じである。
【００９３】
＜ステップＳＴ１３（除湿運転モードＭ）＞
制御部６は、ステップＳＴ１１において、除湿運転モードＭが選択されると、ステップＳＴ１３（すなわち、ステップＳＴ３１〜ＳＴ３７）の制御を行う。
【００９４】
ここで、除湿運転モードＭのステップＳＴ３１〜ＳＴ３７の処理は、除湿運転モードＬのステップＳＴ２１〜ＳＴ２７の処理と同じである。このため、ここでは、除湿運転モードＬのステップＳＴ２１〜ＳＴ２７の説明における文字「Ｌ」を「Ｍ」に読み替えるとともに、ステップＳＴ２１〜ＳＴ２７をＳＴ３１〜ＳＴ３７に読み替えることで、ステップＳＴ３１〜ＳＴ３７の説明を省略する。
【００９５】
但し、目標室内湿度ＨｒｓＭについては、ステップＳＴ１１において除湿運転モードＭが選択された時に、除湿運転モードＬの目標室内湿度ＨｒｓＬよりも低い値（例えば、５０％から６０％程度の中程度の相対湿度値）に設定される。
【００９６】
また、除湿運転モードＭにおいては、第１サーモオフ温度ＴｒｄｆＭ１（第１サーモオフ温度差ΔＴｒｄｆＭ１）を、除湿運転モードＬにおける第１サーモオフ温度ＴｒｄｆＬ１（第１サーモオフ温度差ΔＴｒｄｆＬ１）と同じ値にしてもよいが、低い値（例えば、第１サーモオフ温度差ΔＴｒｄｆＭ１が−１．５度から＋０．５度程度の値）にしてもよい。所定時間ｔＭを、除湿運転モードＬにおける所定時間ｔＬと同じ値にしてもよいが、長い値にしてもよい。サーモオン温度ＴｒｄｎＭ（＝目標室内温度Ｔｒｓ＋サーモオン温度差ΔＴｒｄｎＭ）を、除湿運転モードＬにおけるサーモオン温度ＴｒｄｎＬ（＝目標室内温度Ｔｒｓ＋サーモオン温度差ΔＴｒｄｎＬ）と同じ値にしてもよいが、低い値にしてもよい。第２サーモオフ温度ＴｒｄｆＭ２（＝目標室内温度Ｔｒｓ＋第２サーモオフ温度差ΔＴｒｄｆＭ２）を、除湿運転モードＬにおける第２サーモオフ温度ＴｒｄｆＬ２（＝目標室内温度Ｔｒｓ＋第２サーモオフ温度差ΔＴｒｄｆＬ２）と同じ値にしてもよいが、低い値（例えば、第２サーモオフ温度差ΔＴｒｄｆＭ２が−３．５度から−２．５度程度の値）にしてもよい。
【００９７】
＜ステップＳＴ１４（除湿運転モードＨ）＞
制御部６は、ステップＳＴ１１において、除湿運転モードＨが選択されると、ステップＳＴ１４（すなわち、ステップＳＴ４１〜ＳＴ４７）の制御を行う。
【００９８】
ここで、除湿運転モードＬ、Ｍのような除湿レベルが低い除湿運転モードが選択された場合には、上記のように、制御部６は、除湿運転時の圧縮機２１の容量制御及び室内ファン３２の風量制御について、室内に人が存在する場合（人検知センサ３６が人の存在を検知した場合）であっても、室内に人が存在しない場合（人検知センサ３６が人の不存在を検知した場合）であっても、同じ制御を行うようにしている。すなわち、制御部６は、ステップＳＴ２１、ＳＴ３１において、蒸発温度Ｔｅが目標蒸発温度Ｔｅｄｓになるように圧縮機２１の容量を制御し、室内ファン３２の風量を風量Ｌ又は風量ＬＬに制御している。また、制御部６は、ステップＳＴ２６、ＳＴ３６において、蒸発温度Ｔｅが目標蒸発温度Ｔｅｄｓ（但し、露点温度Ｔｒｗよりも低くなるように決定された値）になるように圧縮機２１の容量を制御し、室内ファン３２の風量を最小風量ＬＬに制御している。
【００９９】
しかし、除湿運転モードＬ、Ｍよりも除湿レベルが高い除湿運転モードＨが選択された場合には、以下のように、制御部６は、ステップＳＴ４１、ＳＴ４６において、室内に人が存在する場合（すなわち、人検知センサ３６が人の存在を検知した場合）と室内に人が存在しない場合（すなわち、人検知センサ３６が人の不存在を検知した場合）とで、異なる制御を行うようにしている。
【０１００】
具体的には、ステップＳＴ４１において、制御部６は、室内に人が存在する場合（人検知センサ３６が人の存在を検知した場合）には、ステップＳＴ２１、ＳＴ３１と同様に、蒸発温度Ｔｅが目標蒸発温度Ｔｅｄｓになるように圧縮機２１の容量を制御し、室内ファン３２の風量を風量Ｌ又は風量ＬＬに制御する。しかし、制御部６は、室内に人が存在しない場合（すなわち、人検知センサ３６が人の不存在を検知した場合）には、蒸発温度Ｔｅを人検知センサ３６が人の存在を検知した場合よりも下げるように、圧縮機２１の容量及び室内ファン３２の風量を制御するのである。ここで、制御部６は、蒸発温度Ｔｅを人検知センサ３６が人の存在を検知した場合よりも下げるために、圧縮機２１の容量制御において、人検知センサ３６が人の存在を検知した場合の目標蒸発温度Ｔｅｄｓから目標蒸発温度差ΔＴｅｄｓを差し引いた値（＝Ｔｅｄｓ−ΔＴｅｄｓ）を、人検知センサ３６が人の不存在を検知した場合の目標蒸発温度Ｔｅｄｓとして設定する。そして、これにより、制御部６は、人検知センサ３６が人の存在を検知した場合よりも圧縮機２１の容量を大きくする制御を行うようにしている。また、制御部６は、人検知センサ３６が人の存在を検知した場合よりも室内ファン３２の風量を大きくする制御、すなわち、室内ファン３２の風量を風量Ｌ又は風量ＬＬから風量Ｍや最大風量Ｈまで大きくする制御を行うようにしている。
【０１０１】
また、ステップＳＴ４６において、制御部６は、室内に人が存在する場合（人検知センサ３６が人の存在を検知した場合）には、ステップＳＴ２６、ＳＴ３６と同様に、蒸発温度Ｔｅが目標蒸発温度Ｔｅｄｓ（但し、露点温度Ｔｒｗよりも低くなるように決定された値）になるように圧縮機２１の容量を制御し、室内ファン３２の風量を最小風量ＬＬに制御する。しかし、制御部６は、室内に人が存在しない場合（すなわち、人検知センサ３６が人の不存在を検知した場合）には、蒸発温度Ｔｅを人検知センサ３６が人の存在を検知した場合よりも下げるように、圧縮機２１の容量及び室内ファン３２の風量を制御するのである。ここで、制御部６は、蒸発温度Ｔｅを人検知センサ３６が人の存在を検知した場合よりも下げるために、圧縮機２１の容量制御において、人検知センサ３６が人の存在を検知した場合の目標蒸発温度Ｔｅｄｓから目標蒸発温度差ΔＴｅｄｓを差し引いた値（＝Ｔｅｄｓ−ΔＴｅｄｓ）を、人検知センサ３６が人の不存在を検知した場合の目標蒸発温度Ｔｅｄｓとして設定する。また、制御部６は、人検知センサ３６が人の存在を検知した場合よりも室内ファン３２の風量を大きくする制御、すなわち、室内ファン３２の風量を最小風量ＬＬから風量Ｌや風量Ｍ、最大風量Ｈまで大きくする制御を行うようにしている。
【０１０２】
尚、除湿運転モードＨのステップＳＴ４１、ＳＴ４６以外の処理（ステップＳＴ４２〜ＳＴ４５、ＳＴ４７の処理）は、除湿運転モードＬのステップＳＴ２２〜ＳＴ２５、ＳＴ２７の処理と同じである。このため、ここでは、除湿運転モードＬのＳＴ２２〜ＳＴ２５、ＳＴ２７の説明における文字「Ｌ」を「Ｈ」に読み替えるとともに、ステップＳＴ４２〜ＳＴ４５、ＳＴ４７に読み替えることで、ステップＳＴ４２〜ＳＴ４５、ＳＴ４７の説明を省略する。
【０１０３】
但し、目標室内湿度ＨｒｓＨについては、ステップＳＴ１１において除湿運転モードＨが選択された時に、除湿運転モードＬ、Ｍの目標室内湿度ＨｒｓＬ、ＨｒｓＭよりも低い値（例えば、４０％から５０％程度の低めの相対湿度値）に設定される。
【０１０４】
また、除湿運転モードＨにおいては、第１サーモオフ温度ＴｒｄｆＨ１（第１サーモオフ温度差ΔＴｒｄｆＨ１）を、除湿運転モードＬ、Ｍにおける第１サーモオフ温度ＴｒｄｆＬ１、ＴｒｄｆＭ１（第１サーモオフ温度差ΔＴｒｄｆＬ１、ΔＴｒｄｆＭ１）と同じ値にしてもよいが、低い値（例えば、第１サーモオフ温度差ΔＴｒｄｆＨ１が−２度から０度程度の値）にしてもよい。所定時間ｔＨを、除湿運転モードＬ、Ｍにおける所定時間ｔＬ、ｔＭと同じ値にしてもよいが、長い値にしてもよい。サーモオン温度ＴｒｄｎＨ（＝目標室内温度Ｔｒｓ＋サーモオン温度差ΔＴｒｄｎＨ）を、除湿運転モードＬ、Ｍにおけるサーモオン温度ＴｒｄｎＬ、ＴｒｄｎＭ（＝目標室内温度Ｔｒｓ＋サーモオン温度差ΔＴｒｄｎＬ、ΔＴｒｄｎＭ）と同じ値にしてもよいが、低い値にしてもよい。第２サーモオフ温度ＴｒｄｆＨ２（＝目標室内温度Ｔｒｓ＋第２サーモオフ温度差ΔＴｒｄｆＨ２）を、除湿運転モードＬ、Ｍにおける第２サーモオフ温度ＴｒｄｆＬ２、ＴｒｄｆＭ２（＝目標室内温度Ｔｒｓ＋第２サーモオフ温度差ΔＴｒｄｆＬ２、ΔＴｒｄｆＭ２）と同じ値にしてもよいが、低い値（例えば、第２サーモオフ温度差ΔＴｒｄｆＨ２が−４度から−３度程度の値）にしてもよい。
【０１０５】
（６）特徴
次に、空気調和装置１の特徴について説明する。
【０１０６】
＜Ａ＞
ここでは、上記のように、除湿運転時において、室内に人が不存在の場合（人検知センサ３６が人の不存在を検知した場合）に、制御部６が、室内熱交換器３１における冷媒の蒸発温度Ｔｅを下げるように圧縮機２１の容量及び室内ファン３２の風量を制御している。
【０１０７】
具体的には、ここでは、選択された除湿運転モードの除湿レベルが高い時（すなわち、除湿運転モードＨの選択時）に、人検知センサ３６が人の不存在を検知した場合に、蒸発温度Ｔｅを人検知センサ３６が人の存在を検知した場合よりも下げる制御を行うようにしている（ステップＳＴ１１、ＳＴ１４、ＳＴ４１、ＳＴ４６参照）。
【０１０８】
これにより、ここでは、蒸発温度Ｔｅを下げることで除湿能力を大きくできるため、除湿量を増大させることができる。そうすると、室内にある物品に結露やカビが発生するおそれを少なくすることができる。また、この室内に人が不存在の場合の制御は、室内に人が不存在の場合だけ行われるため、室内に人が存在する場合は、在室者が冷えすぎに感じるおそれを少なくすることができる。
【０１０９】
また、ここでは、上記のように、制御部６が、除湿運転として、除湿レベルの異なる複数の除湿運転モードＬ、Ｍ、Ｈが選択可能に構成されている。このため、ユーザーの除湿レベルのニーズに適した除湿運転を行うことができる。そして、ここでは、上記のように、制御部６が、選択された除湿運転モードの除湿レベルが高い時に、人検知センサ３６が人の不存在を検知した場合に、蒸発温度Ｔｅを人検知センサ３６が人の存在を検知した場合よりも下げる制御を行うようにしている。このため、除湿量を増大させたいというユーザーのニーズに対応する場合だけ、室内に人が不存在の場合の制御を行うことができる。
【０１１０】
＜Ｂ＞
また、ここでは、上記のように、制御部６が、人検知センサ３６が人の不存在を検知した場合に、人検知センサ３６が人の存在を検知した場合よりも圧縮機２１の容量を大きくする制御を行うようにしている（ステップＳＴ４１、４６参照）。
【０１１１】
これにより、ここでは、室内に人が不存在の場合に、圧縮機２１の容量を大きくすることで室内熱交換器３１において熱交換を行う冷媒の流量を増加させて、除湿量を増大させることができる。
【０１１２】
＜Ｃ＞
また、ここでは、上記のように、制御部６が、人検知センサ３６が人の不存在を検知した場合に、人検知センサ３６が人の存在を検知した場合よりも室内ファン３２の風量を大きくする制御を行うようにしている（ステップＳＴ４１、４６参照）。
【０１１３】
これにより、ここでは、室内に人が不存在の場合に、室内ファン３２の風量を大きくすることで室内熱交換器３１において熱交換を行う室内空気の風量を増加させて、除湿量を増大させることができる。特に、室内ファン３２の風量を最大風量Ｈに制御すれば、室内に人が不存在の場合に、室内熱交換器３１において熱交換を行う室内空気の風量を最大限まで増加させて、除湿量を大幅に増大させることができる。
【０１１４】
＜Ｄ＞
また、ここでは、上記のように、制御部６が、サーモオフ条件を満たすかどうかを判定する判定要素として、室内温度Ｔｒによる第１サーモオフ温度条件と、室内湿度Ｈｒによるサーモオフ湿度条件と、を有するものとしている。そして、制御部６は、第１サーモオフ温度条件を満たした時にサーモオフ湿度条件を満たしている場合には、サーモオフ条件を満たすものと判定して、サーモオフを行い（ステップＳＴ２２、ＳＴ３２、ＳＴ４２参照）、第１サーモオフ温度条件を満たした時にサーモオフ湿度条件を満たさない場合には、サーモオフ条件を満たさないものと判定して、サーモオフを行わないようにしている（ステップＳＴ２５、ＳＴ３５、ＳＴ４５参照）。
【０１１５】
これにより、ここでは、第１サーモオフ温度条件を満たしても、サーモオフ湿度条件を満たさない場合には、室内の除湿を継続することができる（ステップＳＴ２６、ＳＴ３６、ＳＴ４６参照）。このため、第１サーモオフ温度条件を満たすとサーモオフが行われる場合に比べて、除湿量を増大させることができ、室内の除湿不足によって在室者が不快に感じるおそれを少なくすることができる。また、目標室内温度Ｔｒｓを高めに設定して除湿運転を開始する場合のような過渡的な運転状態においても、除湿運転の開始後すぐにサーモオフが行われてしまうことが少なくなる。
【０１１６】
しかも、ここでは、上記のように、制御部６が、サーモオフ条件を満たすかどうかを判定する判定要素として、第１サーモオフ温度条件よりも低温側の第２サーモオフ温度条件をさらに有している。そして、制御部６は、サーモオフ湿度条件を満たさなくても、低温側の第２サーモオフ温度条件を満たした場合には、サーモオフ条件を満たすものと判定している（ステップＳＴ２７、ＳＴ３７、ＳＴ４７参照）。
【０１１７】
これにより、ここでは、第１サーモオフ温度条件を満たした後の除湿の継続によって、室内温度Ｔｒが低くなり過ぎる前に、サーモオフを行うことができる（ステップＳＴ２３、ＳＴ３３、ＳＴ４３参照）。このため、第１サーモオフ温度条件を満たした後の除湿の継続によって除湿量を増大させて、室内の除湿不足によって在室者が不快に感じるおそれを少なくするとともに、第１サーモオフ温度条件を満たした後の除湿の過度な継続を抑えて、室内温度Ｔｒが低くなり過ぎることで在室者が不快に感じるおそれを少なくすることができる。
【０１１８】
＜Ｅ＞
また、ここでは、上記のように、制御部６が、第１サーモオフ温度条件（サーモオフ温度条件）を満たした場合に、室内熱交換器３１における冷媒の蒸発温度Ｔｅが室内空気の露点温度Ｔｒｗを下回るように、圧縮機２１の容量及び室内ファン３２の風量を制御している（除湿継続制御、ステップＳＴ２６、ＳＴ３６、ＳＴ４６参照）。
【０１１９】
これにより、ここでは、室内熱交換器３１において室内空気の結露が確実に発生する状態において、室内の除湿を継続することができる。このため、サーモオフ温度条件を満たすとサーモオフが行われる場合に比べて、除湿量を増大させることができ、室内の除湿不足によって在室者が不快に感じるおそれを少なくすることができる。
【０１２０】
（７）変形例
＜Ａ＞
上記実施形態では、人検知センサ３６が人の存在を検知した場合の目標蒸発温度Ｔｅｄｓから目標蒸発温度差ΔＴｅｄｓを差し引いた値（＝Ｔｅｄｓ−ΔＴｅｄｓ）を、人検知センサ３６が人の不存在を検知した場合の目標蒸発温度Ｔｅｄｓとして設定することで、蒸発温度Ｔｅを人検知センサ３６が人の存在を検知した場合よりも下げる制御を行うようにしているが、これに限定されるものではない。例えば、ステップＳＴ４１においては、温度差ΔＴｒに基づいて人検知センサ３６が人の不存在を検知した場合の目標蒸発温度Ｔｅｄｓを決定する際に、人検知センサ３６が人の存在を検知した場合の目標蒸発温度Ｔｅｄｓよりも低くなるように決定してもよい。また、ステップＳＴ４６においては、露点温度Ｔｒｗから所定温度差ΔＴｒｗを差し引くことによって目標蒸発温度Ｔｅｄｓを決定する際に、所定温度差ΔＴｒｗを人検知センサ３６が人の存在を検知した場合とは異なる値にしてもよい。
【０１２１】
＜Ｂ＞
上記実施形態及び変形例Ａでは、３つの除湿運転モードのうち最も除湿レベルが高い除湿運転モードＨの選択時だけ、人検知センサ３６が人の不存在を検知した場合に、蒸発温度Ｔｅを人検知センサ３６が人の存在を検知した場合よりも下げる制御を行うようにしている（ステップＳＴ１１、ＳＴ１４、ＳＴ４１、ＳＴ４６参照）が、これに限定されるものではない。例えば、除湿運転モードＭの選択時にも、人検知センサ３６が人の不存在を検知した場合に、蒸発温度Ｔｅを人検知センサ３６が人の存在を検知した場合よりも下げる制御を行うようにしてもよい。
【０１２２】
＜Ｃ＞
上記実施形態及び変形例Ａ、Ｂでは、制御部６が、除湿運転時（具体的には、除湿運転モードＨの選択時）に、人検知センサ３６が人の不存在を検知した場合に、室内熱交換器３１における冷媒の蒸発温度Ｔｅを人検知センサ３６が人の存在を検知した場合よりも下げる制御を行うようにしている。
【０１２３】
しかし、ユーザーによっては、室内に結露やカビが発生するおそれがある物品がない等の理由で、室内に人が不存在の場合の制御が不要な場合もある。
【０１２４】
そこで、ここでは、例えば、リモコン操作部６４を介して、除湿運転時に室内に人が不存在の場合の制御を行わない旨の選択指令ができるようにしておき、この選択指令を受け付けた制御部６が、除湿運転時に、人検知センサ３６が人の不存在を検知した場合に、室内熱交換器３１における冷媒の蒸発温度Ｔｅを人検知センサ３６が人の存在を検知した場合よりも下げる制御を行うかどうかを、選択するように構成にしている。
【０１２５】
これにより、ユーザーのニーズに応じて、室内に人が不存在の場合の制御を行うかどうかを選択することができる。
【０１２６】
＜Ｄ＞
上記実施形態及び変形例Ａ〜Ｃでは、除湿レベルの異なる複数の除湿運転モードとして、除湿運転モードＬ、Ｍ、Ｈの３つを選択できるようになっているが、これに限定されるものではなく、２つの除湿運転モードであってもよいし、４つ以上の除湿運転モードであってもよい。
【０１２７】
＜Ｅ＞
上記実施形態及び変形例Ａ〜Ｄでは、除湿運転として、第１サーモオフ温度条件を満たすまで行う除湿運転と、第１サーモオフ温度条件を満たした後に行う除湿運転と、を有する空気調和装置１を例に挙げて、室内に人が不存在の場合の制御を適用しているが、これに限定されるものではなく、除湿運転を行う空気調和装置であれば、除湿運転時の制御内容に応じて適用することが可能である。
【０１２８】
＜Ｆ＞
上記実施形態及び変形例Ａ〜Ｅでは、室内熱交換器３１を収容する室内ユニット３として、天井埋込型のものを採用した例を説明しているが、これに限定されるものではなく、壁掛型等の他の型式の室内ユニットであってもよい。
【０１２９】
以上、本開示の実施形態を説明したが、請求の範囲に記載された本開示の趣旨及び範囲から逸脱することなく、形態や詳細の多様な変更が可能であることが理解されるであろう。
【産業上の利用可能性】
【０１３０】
本開示は、除湿運転を行う空気調和装置に対して、広く適用可能である。
【符号の説明】
【０１３１】
１    空気調和装置
６    制御部
１０  冷媒回路
２１  圧縮機
２４  室外熱交換器
２５  膨張弁（膨張機構）
３１  室内熱交換器
３２  室内ファン
３６  人検知センサ
【先行技術文献】
【特許文献】
【０１３２】
【特許文献１】特開２００４−７６９７３号公報
【図１】
2019138504.tif 000003
【図２】
2019138504.tif 000004
【図３】
2019138504.tif 000005
【図４】
2019138504.tif 000006
【図５】
2019138504.tif 000007
【図６】
2019138504.tif 000008
【図７】
2019138504.tif 000009
【図８】
2019138504.tif 000010